(57)【要約】【課題】PETによる頭部検査においてエミッションスキャンによるデータ収集時に検査部位である頭部以外の部位からのガンマ線を計数することを防ぐために、中心部付近に被検者の頭部を通過させるための孔部を有する遮蔽体が用いられるが、この孔部はトランスミッションスキャンを行う位置に被検者の頭部を配置するためには、被検者の肩幅が通過できる程度の広さが必要となるため十分な遮蔽効果を発揮し得ない。【解決手段】天板８上に被検者５の背部後面、胸部前面および両肩上面を取り囲むように配置された放射線遮蔽装置１０を用いることにより上記課題を解決する。【選択図】          図１
2007218768.tif 000002
【特許請求の範囲】
【請求項１】
被検者を載置する寝台と、内部に円周状に放射線検出器を配置し、中心部に前記被検者の検査部位を挿入する開口部を有するガントリを備えたポジトロン放射断層撮影装置において、前記寝台に載置された被検者の頭部のエミッションスキャンを行うとき、頭部以外から放射される放射線の前記放射線検出器への入射を防ぐと共に、前記開口部に挿入可能な形態を有する放射線遮蔽機構を設けたことを特徴とするポジトロン放射断層撮影装置。
【請求項２】
放射線遮蔽機構は被検者の頭部以外の体表面の全部または一部を覆う形態であることを特徴とする請求項１記載のポジトロン放射断層撮影装置。
【請求項３】
放射線遮蔽機構は分割された遮蔽体と前記遮蔽体を着脱可能に支持する遮蔽体支持部により構成されることを特徴とする請求項１記載のポジトロン放射断層撮影装置。
【請求項４】
放射線遮蔽機構は分割された遮蔽体と前記遮蔽体の一部を開閉可能に支持する遮蔽体支持部により構成されることを特徴とする請求項１記載のポジトロン放射断層撮影装置。
【発明の詳細な説明】
【技術分野】
【０００１】
本発明はポジトロン放射断層撮影装置の放射線遮蔽機構に関する。
【背景技術】
【０００２】
ポジトロン放射断層撮影装置（以下PETと呼ぶ）は図７に示すようなガントリ１とベッド９を備えており、ベッド９はベッド基部７とその上面で水平動可能に支持された天板８により構成され、天板８上に載置された被検者５の検査部位、例えば頭部をガントリ１のトンネル部１Aに挿入する。なお６は被検者５の頭部を載置するためのヘッドレストで、放射線吸収の少ない材質で作られ天板８の端部に固定されている。ガントリ１の内部にはエミッションスキャン用検出器２およびトランスミッションスキャン用検出器３がいずれもトンネル部１Aとほぼ同心円状に配設されている。またトランスミッションスキャン用検出器３が作る円の内側にはガンマ線の発生源であるトランスミッションスキャン用線源４が３と同心の円を描くように回転可能に設置されている。さらにこれらの他にガントリ１内の両検出器からの信号を画像に変換する画像処理装置やトランスミッションスキャン用線源４の回転や天板８の移動を制御する制御部等が存在するが、本発明とは特に関係ないので図示および説明は省略する。
【０００３】
PETによる頭部検査の概略の手順例を以下に示す。ただし車輪１９Aにより床上を移動可能な台車１９に固定して支持され、円形の孔部１８Aを有する鉛板等により構成される遮蔽体１８が、ガントリ１のトンネル部１Aに近接してその孔部１８Aがトンネル部１Aとほぼ同心円になるように配置されているが、これについては当面存在しないものとして説明する。
＜手順１＞被検者５を天板８およびヘッドレスト６上に載置する。
＜手順２＞天板８をトンネル部１A内に送り込み、被検者５の頭部を図7に破線で示すように、トランスミッションスキャン用検出器３の円内に静止させる。
＜手順３＞トランスミッションスキャン用線源４を被検者５の頭部の周りで回転させ、頭部を透過したガンマ線をトランスミッションスキャン用検出器３で検出する。（トランスミッションスキャンによるデータ収集）
＜手順４＞天板８を引き出して被検者５の頭部を、図7に実線で示すように、エミッションスキャン用検出器２の円内に静止させる。
＜手順５＞被検者５に陽電子放出核種で標識されたガスを吸引させる。
＜手順６＞被検者５の頭部に循環した陽電子放出核種から放出されるガンマ線をエミッションスキャン用検出器２で検出する。（エミッションスキャンによるデータ収集）
＜手順７＞トランスミッションスキャンおよびエミッションスキャンにより収集されたデータを用いて画像を生成する。
【０００４】
PETによる頭部検査の概略の手順は例えば上記のようなものである。ここで上記＜手順６＞のエミッションスキャンによるデータ収集は、頭部からのガンマ線のみを計数すべきであるが、被検者５をトンネル部１Aの内部まで挿入できるようにトンネル部１Aの開口径が被検者５の肩幅より大きくなっているため、例えば胸部等検査部位以外の部位から放射されてエミッションスキャン用検出器２に斜入するガンマ線の一部も計数することにより、画像のS／Ｎ比を低下させるという不都合が発生する。ガントリ１のトンネル部１Aに近接した位置で被検者５の頭部を通過させるための孔部１８Aがトンネル部１Aとほぼ同心円になるように配置された遮蔽体１８は、被検者５の頭部と肩部の間に位置して頭部以外の部位からのガンマ線のエミッションスキャン用検出器２への入射を防止することによりこの不都合を解消するために設けられたものであり、すでに実用化されている（例えば特許文献１参照）。
【特許文献１】特開平９−３１８７５４号公報
【発明の開示】
【発明が解決しようとする課題】
【０００５】
上述のようにPETによる頭部検査では、エミッションスキャンによるデータ収集中に頭部以外の部位からのガンマ線を計数することを防ぐために、頭部を通過させるための孔部１８Aを有する遮蔽体１８が用いられる。この目的のためには孔部１８Aは被検者５の頭部が通過可能な広さでできるだけ狭い方がよい。しかしトランスミッションスキャンを行うためには、ガントリ１のより奥に配置されたトランスミッションスキャン用検出器３の円内まで被検者５の頭部を送り込まねばならないので、孔部１８Aは天板８や被検者５の肩が通過できる程度の広さが必要となり、頭部以外の部位からのエミッションスキャン用検出器２へのガンマ線の入射を十分に防ぐことは困難になる。本発明はこの問題を解決するためのものである。
【課題を解決するための手段】
【０００６】
請求項１記載の発明は上記の目的を達成するために、被検者を載置する寝台と、内部に円周状に放射線検出器を配置し、中心部に前記被検者の検査部位を挿入する開口部を有するガントリを備えたポジトロン放射断層撮影装置において、前記寝台に載置された被検者の頭部のエミッションスキャンを行うとき、頭部以外から放射される放射線の前記放射線検出器への入射を防ぐと共に、前記開口部に挿入可能な形態を有する放射線遮蔽機構を設けたポジトロン放射断層撮影装置を提供する。
【０００７】
請求項２記載の発明は上記の目的を達成するために、放射線遮蔽機構は被検者の頭部以外の体表面の全部または一部を覆う形態である請求項１記載のポジトロン放射断層撮影装置を提供する。
【０００８】
請求項３記載の発明は上記の目的を達成するために、放射線遮蔽機構は分割された遮蔽体と前記遮蔽体を着脱可能に支持する遮蔽体支持部により構成される請求項１記載のポジトロン放射断層撮影装置を提供する。
【０００９】
請求項４記載の発明は上記の目的を達成するために、放射線遮蔽機構は分割された遮蔽体と前記遮蔽体の一部を開閉可能に支持する遮蔽体支持部により構成される請求項１記載のポジトロン放射断層撮影装置を提供する。
【発明の効果】
【００１０】
本発明による放射線遮蔽機構を用いることにより、被検者の頭部以外の部位が遮蔽体で覆われるので、エミッションスキャンによるデータ収集時に検査部位である頭部以外の部位から放射されるガンマ線の計数を十分に防止することができるとともに、トランスミッションスキャンによるデータ収集時に被検者の頭部をガントリのトンネル部奥のトランスミッションスキャンを行う位置まで挿入することができるようになる。
【発明を実施するための最良の形態】
【００１１】
図１、図４および図５はPETによる頭部検査を本発明の放射線遮蔽機構を用いて行うときの概略を説明するための図であるが、これらの図において図７と同じ符号で示される部品等は図７と同じものなのでそれらについての説明は省略する。また図２および図３は本発明の放射線遮蔽機構の一例を示すものである。
【００１２】
まず図2および図３により本発明の放射線遮蔽機構の構成の一例を説明する。放射線遮蔽装置１０は、天板８の頭側端部に設置されて被検者５の肩の部分を取り囲む形状および寸法で構成された遮蔽体支持部１１と、ガンマ線の透過を防止するために鉛板等により構成された遮蔽体１２〜１７によって構成されている。そして図３に示すように遮蔽体支持部１１がその下部の両側部に設けられた固定ネジ１１Bにより天板８に固定された後、遮蔽体１６および１７がそれぞれ自身に設けられた孔１６A、１７Aおよび遮蔽体支持部１１の下面部に設けられた2個のネジ穴１１Cにより遮蔽体支持部１１にネジ止め固定される。なお遮蔽体１６および１７はこのとき両者の間に隙間も重なりも生じない寸法に形成されている。遮蔽体１４は図３に示すように遮蔽体支持部１１の頭側前面部上下に対向して設けられたガイドレールに手前側から垂直に挿入されストッパ１４Aおよびストッパ用溝１１Aにより固定配置される。同様に遮蔽体１５は遮蔽体支持部１１の前面部に設けられたガイドレールに向こう側から挿入され固定配置される。この状態で遮蔽体１４と１５の間には図２に示すようにある幅の隙間が存在するがこれは被検者５の首の部分を通すためのものである。同様に遮蔽体１２および１３は遮蔽体支持部１１の上面部に対向して設けられたガイドレールに図３に示すようにそれぞれ手前側および向こう側から水平に挿入され固定配置される。この状態で遮蔽体１２と１３は、被検者５への圧迫感を少なくするため、およびエミッションスキャン前のガス吸引のために図２に示すように被検者５の顔に近い側の一部が多少開いた形状になっている。
【００１３】
次に本発明の放射線遮蔽機構を用いて行うPETによる頭部検査の手順について説明する。
＜手順１＞天板８をガントリ１のトンネル部１Aから引き出した位置で停止させ、図３に示すように天板８の頭側端部に遮蔽体支持部１１を2個の固定ネジ１１Bにより取り付ける。
＜手順２＞遮蔽体１６、１７および遮蔽体１２、１３をそれぞれ遮蔽体支持部１１の下部面および上部面の所定の位置に取り付ける。
＜手順３＞被検者５をその頭部が遮蔽体支持部１１の上部面および下部面に取り付けられた遮蔽体１２、１３と遮蔽体１６、１７の間を通り抜けてヘッドレスト６に載るように天板８上に載置する。
＜手順４＞遮蔽体１４、１５を被検者５の首の左右から遮蔽体支持部１１の所定の位置に取り付ける。以上により図１に示す検査準備位置での被検者５の天板８上への載置および放射線遮蔽装置１０の装着が終了する。（図１）
＜手順５＞天板８を移動させて、首から胸部付近までが放射線遮蔽装置１０で覆われた被検者５をトンネル部１A内に送り込み、頭部をトランスミッションスキャン用検出器３の円内に配置して静止させる。（図４）
＜手順６＞トランスミッションスキャン用線源４を被検者５の頭部の周りで回転させ、頭部を透過したガンマ線をトランスミッションスキャン用検出器３で検出する。（トランスミッションスキャンによるデータ収集）
＜手順７＞天板８を引き出し、被検者５の頭部をエミッションスキャン用検出器２の円内に配置して静止させる。（図５）
＜手順８＞被検者５に陽電子放出核種で標識されたガスを吸引させる。
＜手順９＞被検者５の頭部に循環した陽電子放出核種から放出されるガンマ線をエミッションスキャン用検出器２で検出する。（エミッションスキャンによるデータ収集）
＜手順１０＞天板８を引き出して被検者５の頭部をガントリ１のトンネル部１Aから引き出す。（図１）
＜手順１１＞トランスミッションスキャンおよびエミッションスキャンにより収集されたデータを用いて画像を生成する。
【００１４】
上記実施例では遮蔽体１２〜１７を６枚に分割した例について説明したが、頭部以外の部位からのガンマ線のエミッションスキャン用検出器２への入射を十分に防止することができるのであれば、分割枚数はこれより多くても少なくてもよい。
【００１５】
上記実施例では被検者５の首の左右に配置される遮蔽体１４および１５の首に対向する辺を直線にしたが、これを円弧等の曲線にして、被検者５の首全体により接近する形状にしてもよい。
【００１６】
上記実施例では遮蔽体１２と１３は図２に示すように遮蔽体支持部１１に取り付けたとき被検者５の顔に近い側の一部が多少開いているが、全部が閉じる形状であってもよい。
【００１７】
上記実施例ではガントリ１内でエミッションスキャン用検出器２がトランスミッションスキャン用検出器３よりベッド９に近い側に配置されている場合について述べたが、両検出器の配置が逆であっても本発明は同様に有効である。
【００１８】
上記実施例では放射線遮蔽装置１０について、分割された遮蔽体１２〜１７を遮蔽体支持部１１に着脱する構成について説明したが、遮蔽体の一部を左右に開閉するように構成してもよい。このように構成された放射線遮蔽装置２０の一例を図６に示す。ここで図６（ａ）はベッド９に取り付けられた放射線遮蔽装置２０を、天板８上に仰向けに載置された被検者５の足側から見た図であり、図６（ｂ）は（ａ）を右側面から見た図である。また図１と同じ符号で示される部品等は図１と同じものなのでそれらについての説明は省略する。放射線遮蔽装置２０を構成する鉛板等からなる遮蔽体２１〜２３のうち、被検者５から背面に放射されるガンマ線を遮蔽する平板状の遮蔽体２３は天板８上に固定して配置されるが、被検者５の左半分を覆う遮蔽体２１は胸部前面への放射を遮蔽する水平の平板と肩部上方への放射を遮蔽する垂直の平板が隙間なく接合された構造であり、垂直の平板の左下端部に水平に取り付けられた円柱状の軸２６が天板８に取り付けられた2個の保持金具２４により回転可能に保持されている。また被検者５の右半分を覆う遮蔽体２２は遮蔽体２１とほぼ左右対称の構造である。そして被検者５が天板８に乗り降りするとき、遮蔽体２１および２２は図６（ａ）に破線で示すように、それぞれ左右に開かれ、検査時は実線で示すように閉じられて被検者５の胸部等を覆う構造になっている。
【産業上の利用可能性】
【００１９】
本発明はポジトロン放射断層撮影装置の放射線遮蔽機構に関する。
【図面の簡単な説明】
【００２０】
【図１】本発明の放射線遮蔽機構を用いた検査について説明するための図である。
【図２】本発明の放射線遮蔽機構の一例を示す図である。
【図３】図２の放射線遮蔽機構の構成を示す図である。
【図４】本発明の放射線遮蔽機構を用いた検査について説明するための図である。
【図５】本発明の放射線遮蔽機構を用いた検査について説明するための図である。
【図６】本発明の放射線遮蔽機構の別の例を示す図である。
【図７】従来の放射線遮蔽機構を用いた検査について説明するための図である。
【符号の説明】
【００２１】
１：ガントリ
１A：トンネル部
２：エミッションスキャン用検出器
３：トランスミッションスキャン用検出器
４：トランスミッションスキャン用線源
５：被検者
６：ヘッドレスト
７：ベッド基部
８：天板
９：ベッド
１０：放射線遮蔽装置
１１：遮蔽体支持部
１１A：ストッパ用溝
１１B：固定ネジ
１１C：ネジ穴
１２：遮蔽体
１３：遮蔽体
１４：遮蔽体
１４A：ストッパ
１５：遮蔽体
１６：遮蔽体
１６A：孔
１７：遮蔽体
１７A：孔
１８：遮蔽体
１８A：孔部
１９：台車
１９A：車輪
２０：放射線遮蔽装置
２１：遮蔽体
２２：遮蔽体
２３：遮蔽体
２４：保持金具
２６：軸
【図１】
2007218768.tif 000003
【図２】
2007218768.tif 000004
【図３】
2007218768.tif 000005
【図４】
2007218768.tif 000006
【図５】
2007218768.tif 000007
【図６】
2007218768.tif 000008
【図７】
2007218768.tif 000009